Podtech/llm-jp-corpus-v4-ja_patent huggingface dataset:
(57)【要約】【課題】鋼材の腐食を恒久的に防止し、かつ施工性に優れた鋼材の防食構造を提供する。【解決手段】亜鉛およびアルミニウムの鱗箔を変性シリコーン樹脂溶液に混入した塗料からなる第一層４と、第一層４に密着させたブチルゴムからなる第二層５の二重構造によって鋼材１を腐食から保護する。第一層４は亜鉛およびアルミニウムの陽極化による犠牲防食作用で鋼材１を電気化学的に保護し、第二層５は水密性、気密性を確保し、鋼材１を物理的な作用により保護する。【選択図】図１
0003157133.tif 000002
【実用新案登録請求の範囲】
【請求項１】
鋼材の素地に付着させた少なくとも亜鉛の鱗箔とバインダを含む塗料からなる第一層と、前記第一層に密着させたブチルゴムからなる第二層を含むことを特徴とする鋼材の防食構造。
【請求項２】
前記塗料が、亜鉛およびアルミニウムの鱗箔を変性シリコーン樹脂溶液に混入したものであることを特徴とする請求項１に記載の鋼材の防食構造。
【考案の詳細な説明】
【技術分野】
【０００１】
本考案は、鋼材の防食構造に関し、特に地際部における防食構造に関する。
【背景技術】
【０００２】
鋼材の地中に埋設された部分と地上に露出した部分との境界部周辺は地際部と呼ばれ、他の部分に比べて腐食の進行が早いことが知られている。その原因としては、雨水や結露などの水分および水分に含まれる有害微粒子などが溜まりやすいこと、構造物の振動によって応力集中が発生し金属疲労が進行すること、地上部と埋設部との間の電位差により腐食電流が発生することなどがあげられる。地際部の腐食が進行すると鋼材の荷重負荷能力が著しく低下し、構造物が倒壊の危険に晒されることになる。このような地際部の腐食を防止するため、従来は溶融亜鉛メッキ、電気メッキ、エポキシ樹脂系塗装などが施されている（特許文献１参照）。このうち特に亜鉛には保護皮膜作用と犠牲防食作用があり、この２つの作用によって腐食を防止している。保護皮膜作用は、溶融亜鉛メッキ表面の酸化皮膜が空気や水に含まれる酸素、有害微粒子などの侵入を防ぐという物理的な作用であり、犠牲防食作用は、鋼材の素材である鉄よりイオン化傾向の大きい亜鉛が鉄より先に陽極化することによって鋼材自体の腐食を抑制するという電気化学的な作用である。
【先行技術文献】
【特許文献】
【０００３】
【特許文献１】特開２００６−３７２１７号公報
【考案の概要】
【考案が解決しようとする課題】
【０００４】
しかしながら溶融亜鉛メッキは劣化しやすく、長期間にわたって酸素、有害微粒子等の侵入を防ぐことはできない。また、高温下で行われる溶融亜鉛メッキは特別な環境と専用の装置が必要であり現地施工は困難である。
【０００５】
本考案は、水や有害微粒子の滞留や応力集中、腐食電流などの多様な原因で発生する鋼材の腐食を長期間にわたって防止することができ、かつ施工性に優れた鋼材の防食構造を提供するものである。
【課題を解決するための手段】
【０００６】
本考案は、鋼材の素地に付着させた少なくとも亜鉛の鱗箔とバインダを含む塗料からなる第一層と、前記第一層に密着させたブチルゴムからなる第二層を含むことを特徴とする鋼材の防食構造を提供する。
【０００７】
第一層は含有するバインダの接着作用によって塗布するだけで鋼材の素地に付着する。従って特別な装置を用いることなく施工でき、費用や時間を削減することができる。また現地施工が可能であり、新設時だけではなく既設の鋼材の補修時や補強時にも好適である。
【０００８】
ブチルゴムはイソプチレンとイソプレンの共重合体であり、気密性、耐候性、耐熱性、絶縁性に優れ、水分や有害微粒子などの侵入を阻止するという物理的な作用と、迷走電流を防ぐという電気化学的な作用を併せ持っている。
【考案の効果】
【０００９】
本考案によれば、鋼材を電気化学的な作用で保護する第一層と、主として物理的な作用で保護する第二層とで二重に保護することにより、鋼材の腐食を長期間にわたって保護、抑制することができる。
【図面の簡単な説明】
【００１０】
【図１】本考案の実施の形態の鋼材の地際部の防食構造を示す模式図
【考案を実施するための形態】
【００１１】
本考案の実施の形態について図面を参照して説明する。鋼材１は下半分が地中に埋設され、上半分が地上に露出している。境界線２は埋設された部分と地上に露出した部分との境界を示している。境界線２を挟んで上下に一定の幅を有する帯状の部分が地際部３である。地際部３は第一層４と第二層５によって二重に被覆されている。
【００１２】
第一層４は亜鉛およびアルミニウムの鱗箔を変性シリコーン樹脂溶液に混入調整した塗料からなる塗膜である。この塗料としてはプライメットテクノロジー社の塗料「トモリック（登録商標）」が好適である。トモリック（登録商標）は、変性シリコーン樹脂約３０Ｗ％、金属（亜鉛とアルミニウム）が７０Ｗ％からなる一液型無機ジンクリッチ塗料であり、通電性を有し、犠牲防食作用を奏する。トモリック（登録商標）は液状で常温硬化の性質を有しているので、塗布のための特別な装置を必要とせず、容易に現地施工することができる。平均膜厚８０〜１００μｍで溶融亜鉛メッキＨＤＺ５５（ＪＩＳ Ｈ ８６４１）と同等以上の防食効果を発揮する。
【００１３】
第一層４が犠牲防食作用を奏するためには、鋼材１の地際部３の鉄素地に接触していなければならないので、鋼材１に防錆や防食等のための各種塗装仕上げ、アルミ溶射等の被膜加工等が施されていれば塗布前に被膜を除去し、鉄素地を露出させる下地処理が必要である。塗布にはエアレススプレーもしくは刷毛を用いることができ、施工面積や周囲の環境に応じて使い分けることができる。
【００１４】
第二層５は第一層４に密着させたブチルゴムで構成されている。ブチルゴムは自己融着性を備えており、引き伸ばしながら第一層４の外側に巻き付けるだけで装着することができる。装着されたブチルゴムには張力による適度の流動性が生まれ、第一層４との間にできた隙間を充填していく。これにより第二層５は第一層４に隙間なく密着し、水みち等の空隙部が完全に遮断され、水密性、気密性が確保される。第二層５には、ポリエチレンフィルムを基材とし、その一面に粘着層としてブチルゴムを重ねたテープを使用することもできる。第二層５は０．５ｍｍ以上の厚さがあることが望ましい。
【００１５】
本考案の防食構造は鋼材１の断面形状が円形、Ｌ型、Ｈ型など様々な形状のものに適用することができる。本考案の防食構造によれば、鋼材１はその形状に関わらず、第一層４の電気化学的な防食作用と第二層５の物理的な防食作用の相乗効果により長期間にわたって腐食から保護される。
【符号の説明】
【００１６】
１  鋼材
３  地際部
４  第一層
５  第二層
【図１】
0003157133.tif 000003
(57)【要約】      （修正有）【課題】座板の構造を臀部と馴染みをもたせる形態とし、軽量、コンパクト化をはかった携帯式補助椅子を提供する。【解決手段】床面Ｆに接する底板２と臀部が載せられる座板３と１対の支持脚４とにより携帯式補助椅子を構成する。さらに、座板３は、支持脚の上端が取り付けられる基板３１と立体トラス形態にてバネ効果を持つ上面板３２とからなることを特徴とし、折り畳み時の支持脚を下部に収納し、かつ、上部クッション材３５の厚みを最小限にする事により、軽量化、および、折り畳み時の高さを軽減することができる。【選択図】図１
0003157146.tif 000002
【実用新案登録請求の範囲】
【請求項１】
床面（Ｆ）に接する底板（２）と臀部が載せられる座板（３）と１対の支持脚（４
）とを備えてなる携帯式補助椅子において、
座板（３）は、支持脚の上端が取り付けられる基板（３１）とハガネ鋼板と弧形状の束に
て立体トラス構造を形成し、バネ効果を持つ上面板（３２）とからなることを特徴とする
携帯式補助椅子用座板。
【考案の詳細な説明】
【技術分野】
【０００１】
本考案は、畳等の床面に着座する際に臀部の下に置いて足の痺れを防止する補助椅子
において、軽量、コンパクトな座板を提供することにある。
【背景技術】
【０００２】
従来の補助椅子として折り畳みできる支持脚と、座板とで構成されるものが知られ
ている。（例えば下記特許文献１参照）
しかしながら、上記の補助椅子の場合、座板は支持脚を取り付ける基板と臀部との
馴染みをもたせる為のクッション材（約２５ｍｍ）からなり、折り畳んだ支持脚を含める
と厚さは約６０ｍｍ（市販品実測）となる為、携帯には嵩張るという問題があった。
【特許文献１】特開２０００−７００７２号公報
【考案の概要】
【０００３】
補助椅子において、座板本体に緩衝機能をもたせ、上部クッション材（３５）の厚さ
を軽減する事により、携帯しやすいサイズにする。
【考案が解決しようとする課題】
【０００４】
本考案による座板（３）は、折り畳み時の支持脚を下部に収納し、かつ、臀部との馴
染みをもたせる形態とし、上部クッション材（３５）を最小限に抑え、本体の厚さを軽減
（約３０ｍｍ程度）、軽量コンパクト化をはかる。
【課題を解決するための手段】
【０００５】
床面（Ｆ）に接する底板（２）と臀部が載せられる座板（３）と１対の支持脚（４
）とを備えてなる携帯式補助椅子において、
座板（３）は、支持脚の上端が取り付けられる基板（３１）とハガネ鋼板と弧形状
の束にて立体トラス構造を形成し、バネ効果を有する上面板（３２）とからなることを特
徴とする携帯式補助椅子用座板
【考案の効果】
【０００６】
本考案による座板（３）は、着座時、下弦材（３３Ｂ）が中央部のヘタリを防止し、
上体の荷重を左右の支持脚へ伝達する。また、束部分（３４）の弧形状の突出部が臀部の
ズレ止めをはかり、上弦材（３３Ｂ）がバネ効果を発揮し、臀部との馴染みをもたらす事
により、上部クッション材（３５）の厚みを最小限に抑える事ができる。
【図面の簡単な説明】
【０００７】
【図１】本考案の実施形態に係る携帯式補助椅子の一部を切り欠いて示す正面図である。
【図２】図１のＩ‐Ｉ線に沿う断面図である。
【図３】上記補助椅子の座板の形態を示す見上図である。
【実施例】
【０００８】
図に示すように、床面（Ｆ）に接する底板（２）と臀部が載せられる座板（３）と
正面より見てＸ形に交差するように、下端が底板（２）に、上端が座板（３）にそれぞれ
前後方向にのびる水平軸周りに回転自在に取り付けられた１対の支持脚（４）とを備えた
携帯式補助椅子において,
本考案による座板（３）は、着座時の前後の捩じれを調整するため、１対の支持脚
の上端が取付（３１Ａ）けられる基板（３１）と、立体トラス形態で、バネ効果を有する
上面板（３２）とで構成される。
基板（３１）と上面板（３２）とは各々の動きが拘束されないよう座板中央部にて
ピン接合し、緩衝機能を有している。
上面板（３２）は、ハガネ鋼板（３３）をベースとし、その平板の前後両端に、前
後面と平行にスリット（６）を設け、その中央面を押し上げし上弦材（３３Ａ）とし、前
後両端面を下押しして下弦材（３３Ｂ）とし、中央部に生じた空隙部分に弧形状の束（３
４）を挟み込み、立体トラスを形成している。
【産業上の利用可能性】
【０００９】
座式生活から椅子式生活にライフスタイルが変化し、正座に不慣れな人、特に若年層
にとって長時間の正座は、膝の痺れおよび炎症を生じる不安がある為、携帯式補助椅子を
使用する事により解消をはかることができる。
【符号の説明】
【００１０】
（２）    ：底板  （２Ａ：折り畳み時）
（３）    ：座板
（３１）  ：基板
（３２）  ：上面板
（３３）  ：ハガネ鋼板（３３Ａ：上弦材、３３Ｂ：下弦材）
（３４）  ：束  
（３５）  ：クッション材
（４）    ：支持脚
（Ｃ）    ：断面（中央部）
（Ｄ）    ：断面（端部）
【図１】
0003157146.tif 000003
【図２】
0003157146.tif 000004
【図３】
0003157146.tif 000005
(57)【要約】      （修正有）【課題】ヘラの載置部の先端を、ヘラの曲線に沿って、ロールさせながら押し切る事を可能にし、楽で綺麗に切ることが出来る、お好み焼き用ヘラを提供する。【解決手段】ヘラの載置部１の先端部を、Ｒ状に形成したほぼ扇状の載置部と、該載置部に連続する握持部２とを、段部３を形成して一体に設けた事を特徴とする。ヘラを使って食する際に、楽で綺麗に切ることが出来、且つ、安定して掬い上げる事が出来る等、有益なる効果を奏する。【選択図】図１
0003157922.tif 000002
【実用新案登録請求の範囲】
【請求項１】
お好み焼きを鉄板上で具材を焼きながら食するヘラにおいて、該ヘラ（Ｈ）は先端部をＲ状（１ａ）に形成したほぼ扇状の載置部（１）と、該載置部に連続する握持部（２）とを、段部（３）を形成して一体に設けた事を特徴とするお好み焼き食用ヘラ。
【考案の詳細な説明】
【技術分野】
【０００１】
この考案は、お好み焼きを鉄板上で食するためのお好み焼き食用ヘラに関するものである。
【背景技術】
【０００２】
従来、お好み焼き屋で焼く、お好み焼きは、小麦粉等を水等で溶いたものを、高温に熱した鉄板の上に薄く円形状に拡げて下地材とし、その上に、キャベツ、モヤシ等の野菜類の具材や、肉、魚介類、てんかす等の具材を載置し、つなぎとして、小麦粉等を水等で溶いたものを、これらに振りかけ、これらが焼けると、両手にそれぞれ持ったヘラで下地材の下でじっくり焼き上げるものであり、この焼き上がったものを、玉子を溶いて鉄板に円形に拡げて焼いた上に載せて、更に、焼き、この焼き上げたお好み焼きの上面にソースを塗り、この上に鰹節、青海苔等を振りかけて仕上げるものであり、これを広島風お好み焼きと呼ばれるものである。
【０００３】
この広島風お好み焼きを食する場合には、殆どの客は、焼き上がったお好み焼きを皿に取る事なく、鉄板の上から、ヘラで食べやすい大きさにカットして、そのヘラにお好み焼きの一片を載せて口元まで運び食するものである。
【０００４】
しかし、従来のヘラは先端部が真直ぐであり、お好み等の食材を押し切る際に、ヘラの先端部を食材が載っている鉄板等の上に、先端部に沿ってあてがい、平行移動して食材を押し切っていた。その為、ヘラを持つ手にかなりの力を込めて押し切る必要があった。又、ヘラの先端部が摩耗すると真直ぐでなくなる為、食材の切れが悪いヘラに成っていた。
【０００５】
従って、切り味を良くし、食材が載っている鉄板等の上をヘラの曲線部に沿ってロールさせながら押し切ることで、楽で綺麗に押し切る事が可能なヘラの開発が要求されている。
【先行技術文献】
【特許文献】
【０００６】
これまでに出願されている調理用ヘラ及びお好み焼き用のヘラに関する特許文献を参考の為、紹介する（特許文献１〜４参照）。
【特許文献１】登録実用新案第３０９８６５５号
【特許文献２】登録実用新案第３１０３８５８号
【特許文献３】登録実用新案第３１４０１０７号
【特許文献４】特許第４０３０５５４号広報
【考案の概要】
【考案が解決しようとする課題】
【０００７】
そこで、上記課題を解決する為に、この考案はヘラの載置部の先端をＲ状に形成し、ヘラの曲線に沿ってロールさせながら押し切る事を可能にし、楽で綺麗に切ることが出来るお好み焼き食用ヘラを開発・提供する事にある。
【課題を解決するための手段】
【０００８】
この課題を解決するための手段として、ヘラの載置部の先端部をＲ状に形成したほぼ扇状の載置部と、該載置部に連続する握持部とを、段部を形成して一体に設けた事を特徴とするものである。
【考案の効果】
【０００９】
この考案の効果として、ヘラの載置部の先端部をＲ状に形成したほぼ扇状の載置部と、該載置部に連続する握持部とを、段部を形成して一体に設けた事で、ヘラを使って食する際に、楽で綺麗に切ることが出来、且つ、安定して掬い上げる事が出来る等、極めて有益なる効果を奏するものである。
【図面の簡単な説明】
【００１０】
【図１】この考案の一実施例を示し、お好み焼き食用ヘラの平面図である。
【図２】この考案の一実施例を示し、お好み焼き食用ヘラの正面図である。
【図３】この考案の使用例を示し、お好み焼きを切り分ける際の状態図を示す斜視図である。
【考案を実施するための形態】
【００１１】
この考案を実施するための形態として、お好み焼きを鉄板上で具材を焼きながら食するヘラにおいて、該ヘラは先端部をＲ状に形成したほぼ扇状の載置部（１）と、該載置部に連続する握持部（２）とを、段部（３）を形成して一体に設けた事を特徴とするお好み焼き食用ヘラから構成される。
【実施例１】
【００１２】
そこで、この考案の一実施例を図１〜図２に基づいて詳述すると、まず、材質は錆に強いステンレス鋼板を使用し、且つ、寸法形状は載置部の幅が約７５ｍｍでヘラの全長が約１９０ｍｍで、握持部の先端部には吊り下げ用の長穴（幅７ｍｍ×長さ１０ｍｍ）が設けられていて、ヘラの載置部の板厚が約０．５ｍｍで、握持部から段部に掛けては強度を要する為、約２ｍｍにし、全体を一体形成されている。
【００１３】
図１はお好み焼き食用ヘラの平面図で、図２は正面図を示す。
【００１４】
この考案の使用方法について説明すると、図３に示すようにお好み焼きの食材（４）を切り分ける際は、ヘラ（Ｈ）の握持部（２）を持って、食材（４）の表面に対してヘラ（Ｈ）を垂直に立てて、軽く押さえながら握持部（２）を前後方向に動かして、鉄板等の上を載置のＲ状に沿ってロールさせながら押し切る事で、楽で綺麗に食材（４）を切ることが出来る。
【産業上の利用可能性】
【００１５】
この考案のお好み焼き食用ヘラは、ヘラの載置部の先端をＲ状に形成し、ヘラの曲線に沿ってロールさせながら押し切る事を可能にし、楽で綺麗に切ることが出来る為、製造販売することで多くのお好み焼き業界に寄与する点で、産業上の利用可能性を有する。
【符号の説明】
【００１６】
１  載置部
１ａ  Ｒ状
２  握持部
３  段部
４  お好み焼き
Ｈ  ヘラ
【図１】
0003157922.tif 000003
【図２】
0003157922.tif 000004
【図３】
0003157922.tif 000005
(57)【要約】      （修正有）【課題】罫書き定規と巻尺を一体化した、罫書き易く且つ、素早く線が書ける罫書き定規を提供する。【解決手段】腰のベルトに差し込み装着させるクランプ機能を持つ巻尺４と、その巻尺を装着できる罫書き定規１で構成し、罫書き定規の巻尺装着板３に巻尺の持つ装着機能を活用し、装着させ、罫書き定規と巻尺を一体化させ、片方の手で罫書き定規と巻尺を同時に操作し、もう片方の手で罫書き針５などの、線引き用具を使えるようにした。【選択図】図２
0003157967.tif 000002
【実用新案登録請求の範囲】
【請求項１】
巻尺の付属機能で腰のベルトに装着させるクランプ機能を活用し、その巻尺を罫書き定規に装着できる板形状の装着板を罫書き定規に設け、罫書き定規と巻尺を一体化できる構造の罫書き定規であって、巻尺と罫書き定規を同時に使用出来る事を特徴とする罫書き定規。
【考案の詳細な説明】
【技術分野】
【０００１】本考案は、巻尺と罫書き定規を同時に使用出来る、罫書き定規に関するものである。
【背景技術】
【０００２】従来、巻尺を使い罫書きをする場合、巻尺の目盛りテープを引き出しながら移動し、手振れに気を配り、罫書き寸法に尖り印などのマークを書いている。又、スコヤ及び曲尺などの定規を使い罫書をする場合、資材の上に目盛りテープを延ばし、目盛テープがズレないように、磁石やクランプ工具などのズレ防止用具でズレを止め、直角線を書いている。
【先行技術文献】
【特許文献】
【０００３】
【特許文献１】特開２００８−０２６０９１公報
【考案の概要】
【考案が解決しようとする課題】
【０００４】巻尺で罫書きをする場合、罫書き寸法に尖り等のマークを書く、その時１ミリ単位の細かい目盛り線の先に書くため、手振に気を配り、且つ、慎重に書くため、定規に沿わせて書くように素早く書けない。又、スコヤ等の定規を使用する場合、片方の手にスコヤ等の定規を持ち、もう片方の手で罫書き用具を持つ格好になり、巻尺の操作が出来ないため、資材の上に目盛りテープを延ばし、その目盛りテープがズレないように、ズレの防止作業が必要になり、作業工数が増える。
【課題を解決するための手段】
【０００５】腰のベルトに差し込み、装着させるクランプ機能を持つ巻尺と、その巻尺を装着する事の出来る装着板を持つ罫書き定規で構成している。罫書き定規の巻尺装着板に、巻尺の装着機能を活用し、装着させ、巻尺と罫書き定規を一体化させ、片方の手で巻尺と罫書き定規を同時に操作できるようにし、もう片方の手で罫書き針などの、線引き用具が使用できるようにした。
【考案の効果】
【０００６】巻尺と罫書き定規を一体化させた事で、巻尺と罫書き定規を同時に操作出来るため、面倒な尖り印などのマークが不要になり、手振れを気せず定規に沿わせ簡単に素早く罫書く事が出来、作業に流れが出来るため、作業能率が上がる。又、巻尺と罫書き定規を同時に操作できるため、目盛りテープの弛みを調整する事ができ、ズレ防止用具や、ズレ防止作業の必要が不要になり、工数が減り作業能率が上がる。
【図面の簡単な説明】
【０００７】
【図１】本考案の、罫書き定規本体の斜視図である。
【図２】本考案の、罫書き定規本体の巻尺装着板に、巻尺のベルト差し金具を差込み一体化し、罫書き定規本体の中央にある開口部に、巻尺の目盛りテープが潜り、その目盛りテープが溝を通り、罫書き定規本体の端に、目盛りテープと先端金具が出ている。又、罫書き針の先端が罫書き寸法の、罫書き位置を図示している斜視図である。
【図３】本考案の平面図
【図４】本考案の平面図のＡ−Ａの断面図
【考案を実施するための形態】
【０００８】本考案は、腰のベルトに差込み、装着させる機能を持つ巻尺と、その巻尺を装着することの出来る装着板を持つ罫書き定規で構成している。以下添え付け図面の、図２の斜視図に従って説明する。４の巻尺が装備している、１０の装着金具を、１の罫書き定規本体の、２の巻尺装着板に差し込み装着させ一体化し、１の罫書き定規本体の中央にある、６の開口部に、８の目盛りテープを潜らせ、９のテープの通り溝に通して、８の目盛りテープの先端金具を、１の罫書き定規本体の端まで引き出し、資材に引っ掛けられるようにする。
【実施例】
【０００９】以下添え付けの図面の、図２の斜視図に従い説明する。４の巻尺が装備している、１０の装着金具を、１の罫書き定規本体の、２の巻尺装着板に装着させ一体化し、１の罫書き定規本体の中央にある、６の開口部に、８の目盛りテープを潜らせ、９のテープの通り溝を通して、８の目盛りテープの先端金具を、１の罫書き定規本体の端まで引き出し、その先端金具を資材の端に引っ掛け、資材に１１のガイド金具を沿わせ、１の罫書き定規本体を移動させながら、８の目盛りテープを引き出し、目的の罫書き寸法を、５の罫書き針の先端が図示している、１の罫書き定規本体の端に合わせ、線を書く。次に応用を説明する。１１のガイド金具は１２の皿ボルトを緩め１８０度回転させ、平面に使用する。３の反巻尺装着板と７の反開口部は、逆進の時使用する。二角の跳ね上がりは、型鋼の内面に使用する。１１のガイド金具を上面にする事で側面罫書きが可能ある。
【符号の説明】
【００１０】１  罫書き定規本体    ２  巻尺装着板    ３  反巻尺装着板    ４  巻尺
５  罫書き針    ６  開口部    ７  反開口部    ８  目盛テープ
９  目盛りテープの通り溝    １０  装着金具    １１  ガイド金具    １２  皿ボルト
【図１】
0003157967.tif 000003
【図２】
0003157967.tif 000004
【図３】
0003157967.tif 000005
【図４】
0003157967.tif 000006
【手続補正書】
【提出日】平成21年10月6日(2009.10.6)
【手続補正１】
【補正対象書類名】実用新案登録請求の範囲
【補正対象項目名】請求項１
【補正方法】変更
【補正の内容】
【請求項１】
巻尺のクランプ機能を活用し、巻尺を装着できる一枚、又は二枚の装着板を罫書き定規の上面に立てた罫書き定規であって、巻尺罫書き定規を同時に操作できる事を特徴とする罫書き定規。
【手続補正２】
【補正対象書類名】図面
【補正対象項目名】全図
【補正方法】変更
【補正の内容】
【図１】
0003157967.tif 000007
【図２】
0003157967.tif 000008
【図３】
0003157967.tif 000009
【図４】
0003157967.tif 000010
【手続補正書】
【提出日】平成21年12月10日(2009.12.10)
【手続補正１】
【補正対象書類名】実用新案登録請求の範囲
【補正対象項目名】全文
【補正方法】変更
【補正の内容】
【実用新案登録請求の範囲】
【請求項１】
巻尺の装着金具が装着される板形状の装着板が罫書き定規本体の上面に立てて設けられた、罫書き定規と巻尺とを一体化できる構造の罫書き定規。
(57)【要約】      （修正有）【課題】プルバック式のゼンマイを用いた走行玩具であって、四輪全てが駆動し、障害物などの平坦でない面を乗り越えることが可能な四輪駆動玩具のためのゼンマイユニットを提供する。【解決手段】プルバック式のゼンマイを用いて、四輪全てが駆動し走行することを可能とした四輪駆動玩具用ゼンマイユニットである。ゼンマイユニットを用いることにより、後輪動力がスムーズに前輪へ伝達し、動力性能を向上させる。四輪全てが駆動することで、凹凸な床面や障害物を乗り越える際に、接地面に駆動力を十分に伝達できるようにし、平坦でない面を乗り越えて走行できるようにする。【選択図】図２
0003157969.tif 000002
【実用新案登録請求の範囲】
【請求項１】
本考案はプルバック式のゼンマイを用いて、四輪全てが駆動し走行することを可能とした四輪駆動玩具用ゼンマイユニットである。ゼンマイユニットを用いることにより、後輪動力がスムーズに前輪へ伝達し、動力性能を向上させる。
【考案の詳細な説明】
【技術分野】
【０００１】  本考案はプルバック式のゼンマイユニットを用いて、四輪全てが駆動し走行することを可能とした四輪駆動玩具用ゼンマイユニットに関する。
【背景技術】
【０００２】  従来のゼンマイを用いた走行玩具は、二輪駆動玩具が一般的であり、凹凸な床面や障害物を乗り越えにくかった。
【考案の概要】
【考案が解決しようとする課題】
【０００３】  本考案はプルバック式のゼンマイを用いた走行玩具であって、四輪全てが駆動し、障害物などの平坦でない面を乗り越えることが可能な四輪駆動玩具のためのゼンマイユニットを提供することを課題とする。
【課題を解決するための手段】
【０００４】  本考案はプルバック式のゼンマイを用いて、四輪全てが駆動し走行することを可能とした四輪駆動玩具用ゼンマイユニットである。ゼンマイユニットを用いることにより、後輪動力がスムーズに前輪へ伝達し、動力性能を向上させる。
四輪全てが駆動することで、凹凸な床面や障害物を乗り越える際に、接地面に駆動力を十分に伝達できるようにし、前記平坦でない面を乗り越えて走行できるようにする。
【考案の効果】
【０００５】  従来の二輪駆動から四輪駆動にすることで、駆動力が増し、障害物などの平坦でない面を乗り越えることが可能となった。
【図面の簡単な説明】
【０００６】
【図１】本考案の実施例である四輪駆動玩具の外観を示す図である。
【図２】本考案の斜視図を示す図である。
【図３】図３の平面図を示す図である
【図４】本考案の内部構造を示す図である
【考案を実施するための形態】
【０００７】  本考案はプルバック式のゼンマイを用いて、四輪全てが駆動し走行することを可能とした四輪駆動玩具用ゼンマイユニットである。その構成はゼンマイユニットを用いることにより、後輪動力がスムーズに前輪へ伝達し、動力性能を向上させるものである。
その結果、各車輪の駆動力を接地面に十分に伝達させ、平坦でない面を力強く走行することを可能とした。
【符号の説明】
【０００８】１    後輪動力接収ギア
２Ａ  後輪
２Ｂ  後輪
３    ユニットカバー
３Ａ  前輪
３Ｂ  前輪
９    出力歯車
１１  動力伝達ギア
１２  前輪動力接収ギア
１３  前輪軸
１４  後輪軸
【図１】
0003157969.tif 000003
【図２】
0003157969.tif 000004
【図３】
0003157969.tif 000005
【図４】
0003157969.tif 000006
【手続補正書】
【提出日】平成21年11月6日(2009.11.6)
【手続補正１】
【補正対象書類名】実用新案登録請求の範囲
【補正対象項目名】請求項１
【補正方法】変更
【補正の内容】
【請求項１】
本考案は動力伝達ギア１１により、後輪動力接収ギア１と前輪動力接収ギア１２の回転を連結させることで、プルバックゼンマイにより生じる後輪動力を前輪動力と直結させ、四輪全てを駆動させることを特徴とする四輪駆動玩具ゼンマイユニット。
【手続補正書】
【提出日】平成22年1月13日(2010.1.13)
【手続補正１】
【補正対象書類名】図面
【補正対象項目名】全図
【補正方法】変更
【補正の内容】
【図１】
0003157969.tif 000007
【図２】
0003157969.tif 000008
【図３】
0003157969.tif 000009
【図４】
0003157969.tif 000010
(57)【要約】      （修正有）【課題】経鼻エアウェイ使用時の気道乾燥を防止する目的で、吸入気加湿のための人工鼻を容易に接続することが可能な経鼻エアウェイを提供する。【解決手段】経鼻エアウェイ本体１の末端部に、人工鼻３に容易に接続することが可能な接続部２を具備させる。吸入気を加湿するための人工鼻を接続して使用することが可能となり、気道の乾燥を防止することができる。従って、医療現場において、舌根沈下をきたした患者に対する気道確保を行う際にきわめて有用である。【選択図】図２
0003157965.tif 000002
【実用新案登録請求の範囲】
【請求項１】
人工鼻に容易に接続可能な接続部を具備させた経鼻エアウェイ
【考案の詳細な説明】
【技術分野】
【０００１】  本考案は，人工鼻を容易に接続することが可能な経鼻エアウェイに関する．
【背景技術】
【０００２】  経鼻エアウェイは気道確保のために利用されるが，従来の経鼻エアウェイの形状は図３に示すように単なる筒状のものである．
【考案の概要】
【考案が解決しようとする課題】
【０００３】  従来の経鼻エアウェイ使用時，吸入気は経鼻エアウェイの内腔を通過するために生体の鼻腔による加湿が行われない．このために気道の乾燥をきたす危険性がある．【０００４】  そこで，吸入気加湿のための人工鼻を容易に接続することが可能な経鼻エアウェイを提供することにより前述の欠点を解決しようとするものである．
【課題を解決するための手段】
【０００５】  上記課題を解決することを目的としてなされた本考案は，経鼻エアウェイの末端部に人工鼻を容易に接続させるための接続部を具備させることを特徴とする．
【考案の効果】
【０００６】  本考案の経鼻エアウェイにおいては，吸入気を加湿するための人工鼻を接続して使用することが可能となり，気道の乾燥を防止することができる．
【図面の簡単な説明】
【０００７】
【図１】本考案経鼻エアウェイを示した斜視図である．
【図２】本考案経鼻エアウェイを人工鼻と接続した状態を示した斜視図である．
【図３】従来の経鼻エアウェイを示した斜視図である．
【産業上の利用可能性】
【０００８】  本考案は以上の通りであり，従来の製品を使用時の欠点である気道の乾燥を防止できる．従って，本考案は医療現場において，舌根沈下をきたした患者に対する気道確保を行う際にきわめて有用である．
【符号の説明】
【０００９】  １  経鼻エアウェイ本体
２  人工鼻との接続部
３  人工鼻
【図１】
0003157965.tif 000003
【図２】
0003157965.tif 000004
【図３】
0003157965.tif 000005
【手続補正書】
【提出日】平成21年4月26日(2009.4.26)
【手続補正１】
【補正対象書類名】実用新案登録請求の範囲
【補正対象項目名】全文
【補正方法】変更
【補正の内容】
【実用新案登録請求の範囲】
【請求項１】
日本工業規格にて規定されている１５Ｍアダプターを末端部に取り付けた経鼻エアウェイ
【手続補正書】
【提出日】平成21年7月7日(2009.7.7)
【手続補正１】
【補正対象書類名】実用新案登録請求の範囲
【補正対象項目名】全文
【補正方法】変更
【補正の内容】
【実用新案登録請求の範囲】
【請求項１】
内径１５ｍｍの接続部をもつ市販の人工鼻に接続可能な、ほぼ１５ｍｍの外径をもつ円筒形のアダプターを末端部に取り付けた，円筒形の形状を有する経鼻エアウェイ
(57)【要約】      （修正有）【課題】縦半分に割った竹の節を切り取る時、端より１番目の節を残して２番目の節より切り取ることを可能にする回し鋸を提供する。【解決手段】鋸歯が動く作業線と運動を与える為の柄の作業線との両者を、障害物を乗り越える分、引き離す。鋸歯の取り付けは回す外周に位置する様に取り付ける。即ち、回転の接線と可能な限り近づけて固定する。それ故、止め金具、ネジ頭等も鋸歯以上にはみ出さないように留意する、と同時に平滑さを保つ。それにより切り残しを少なくし、周囲のキズを防止する。鋸に回転力を加える為に、柄に回転補助部を設ける、また、鋸歯の１８０度反対側に、凸部を設け、これを枕にし樋の縁をガイドにテコの力を利用し、鋸に一層の回転力を加え切削を容易にする。【選択図】図１
0003157966.tif 000002
【実用新案登録請求の範囲】
【請求項１】
回し鋸のうち、鋸歯が働く作業線と運動を与える柄の作業線との両者を障害物を乗り越える分、位相を持たせたジャンプオ−バ−回し鋸。
【考案の詳細な説明】
【技術分野】
【０００１】回し鋸を使用するとき、手前に障害物が有るとき、鋸が引けない。
それを、解決可能にする、回し鋸である。
【背景技術】
【０００２】竹で樋を作るとき、節を抜く作業をする時、鉄槌と鑿を初めとして切出しナイフ、甲丸カンナ、槍カンナ、等々種々様々な工具を使用して、複数工程を経て解決する。
【考案の開示】
【考案が解決しようとする課題】
【０００３】今迄のやり方は複数工具を使用することで、解決していた。そのことは工具の金額、作業時間が掛かるとゆうことである。
また、樋の一番端の節を残しての作業は従来の回し鋸では出来なかった。
【課題を解決するための手段】
【０００４】鋸歯の理想的作業線とその運動を与える柄の作業線とを障害物を乗り越える分、位相を持たせる。
【考案の効果】
【０００５】考案を使用することの効果は今迄出来なかったことが出来るように成ること。しかも、短時間で、かつ、切り取ったものまでも利用可能な程に奇麗な作業が出来ることを成し得た、ジャンプオ−バ−回し鋸である。
【考案を実施するための最良の形態】
【０００６】鋸歯が動く作業線と運動を与える為の柄の作業線との両者を、障害物を乗り越える分、引き離す。
鋸歯の取り付けは回す外周に位置する様に取り付ける。即ち、回転の接線と可能な限り近ずけて固定する。それ故、止め金具、ネジ頭等も鋸歯以上にはみ出さないように留意する、と同時に平滑さを保つ。それにより切り残しを少なくし、周囲のキズを防止する。
鋸に回転力を加える為に、柄に回転補助部を設ける、また、鋸歯の１８０度反対側に、凸部を設け、これを枕にし樋の縁をガイドにテコの力を利用し、鋸に一層の回転力を加え切削を容易にする。
【図面の簡単な説明】
【０００７】
【図１】考案を一角法で見た正面図である。
【図２】考案を一角法で見た平面図である。
【図３】考案を一角法で見た側面図である。
【符号の説明】
【０００８】▲１▼：鋸歯
▲２▼：止め鐶
▲３▼：柄
▲４▼：障害物クリヤ−部
▲５▼：回転補助部
▲６▼：回転補助部
▲７▼：回転補助枕
▲８▼：鋸歯・止め鐶台木
【図１】
0003157966.tif 000003
【図２】
0003157966.tif 000004
【図３】
0003157966.tif 000005
【手続補正書】
【提出日】平成21年7月21日(2009.7.21)
【手続補正１】
【補正対象書類名】実用新案登録請求の範囲
【補正対象項目名】全文
【補正方法】変更
【補正の内容】
【実用新案登録請求の範囲】
【請求項１】
回し鋸のうち、鋸歯が働く作業線と運動を与える柄の作業線との両者を縦半割りにした竹の一番端の残すべき節の高さを乗り越える分、並行に引き離し、その両者を逆Ｚ形に位相を持たせ固着した、ジャンプオ−バ−回し鋸。
【手続補正３】
【補正対象書類名】明細書
【補正対象項目名】０００４
【補正方法】変更
【補正の内容】
【０００４】鋸歯の理想的動きを与える柄を持った回し鋸を考案した。即ち、縦半割にした竹の一番端の残すべき節を乗り越える分、鋸歯と柄の両者を並行に引き離し、図面１図中の▲４▼のごときに固着した柄を持った回し鋸にする。
【手続補正４】
【補正対象書類名】明細書
【補正対象項目名】０００６
【補正方法】変更
【補正の内容】
【０００６】  鋸歯と柄の両者を、縦半割にした竹の一番端の残すべき節を乗り越える分、並行に引き離し、逆Ｚ字形に固着する。鋸歯の取り付けは回す外周に位置する様に取り付ける。即ち、回転の接線と可能な限り近ずけて固着する。それ故、止め金具、ネジ頭等も鋸歯以上にはみ出さない様に留意する、と同時に平滑さを保つ。そのことにより、切り残しを少なくし、周囲へのキズを防止する。
回し鋸に回転力を加える為に、柄（図面［図１］中の▲３▼）の後部に魚の尻尾のごとき突部（図面上▲５▼・▲６▼）を設ける。また、鋸歯の１８０度反対側に魚の背びれのごとき▲７▼（回転補助枕）を設ける。この枕を樋の縁に当て、それをガイドに回転力を増大させ、切り始め切り終りを容易にする。
【手続補正書】
【提出日】平成21年10月8日(2009.10.8)
【手続補正１】
【補正対象書類名】実用新案登録請求の範囲
【補正対象項目名】全文
【補正方法】変更
【補正の内容】
【実用新案登録請求の範囲】
【請求項１】
回し鋸のうち、鋸歯が働く作業線と運動を与える柄の作業線との両者を孟宗竹の平均的な直径の２分の１程度並行に引き離し其両者を逆Ｚ形に位相を持たせ固着すると、あたかも、メカジキの腹部と背部を鰓から尾に向かい背骨を残し切り取った様に似た形状の、ジャンプオ−バ−回し鋸
【手続補正書】
【提出日】平成21年12月7日(2009.12.7)
【手続補正１】
【補正対象書類名】実用新案登録請求の範囲
【補正対象項目名】全文
【補正方法】変更
【補正の内容】
【実用新案登録請求の範囲】
【請求項１】
鋸歯（１）と柄（３）との間に障害物クリヤー部（４）を設けることで、鋸歯（１）の作業線と運動を与える柄（３）の作業線とを引き離したことを特徴とするジャンプオーバー回し鋸。
(57)【要約】      （修正有）【課題】床、カーペット、等に吸いつかず、ホコリを良く吸い、小型で軽く掃除できる、掃除機用の床用吸込部を提供する。【解決手段】床やカーペット等に強い空気の流れが当たり、細かいほこり等を払うように浮き上がらせて吸い込むことができる様に、床用吸込部１の上部前方に、床面に対して垂直に空気取入口２を配する。さらに、空気取入口２の入口部は広く、先は狭くして、床面での空気の流れを強くするため、床用吸込部１の内部に壁３を設ける。【選択図】図１
0003157964.tif 000002
【実用新案登録請求の範囲】
【請求項１】
床用吸込部（１）の上、前方へ垂直に空気取入口（２）を設け、空気の流れをよくする壁（３）を設けた床用吸込部。
【考案の詳細な説明】
【考案の詳細な説明】
【０００１】産業上の利用分野
この考案は、床用吸込部に、空気取入口をつけた床用吸込部に関するものである
【０００２】従来の技術
従来の、床用吸込部は下側から空気を取入れている
【考案が解決しようとする課題】
【０００３】  これは次のような欠点があった
（イ）  カーペット等が吸いつき動きが重くなる
（ロ）  床用吸込部が大きい
本考案は、これらの欠点を除くためになされたものである
【０００４】課題を解決するための手段
床用吸込部の上、前方に空気の取入口（２）を設け、空気の流れをよくする壁（３）を設ける。
本考案は以上のような構成よりなる床用吸込部である。
【０００５】作用
掃除機のパイプ側に床用吸込部（１）をセットする、上部の空気取入口（２）から入った空気は、壁（３）を通り強い流れとなって、床、カーペット等にあたりホコリを浮き上らせ、掃除機に吸い込まれる。
【０００６】実施例
以下、本案の実施例について説明する
（イ）  床用吸込部（１）の上、前方に垂直の空気取入口（２）を設ける
（ロ）  空気取入口（２）は空気の流れを強くするため、入口は、ひろく先を少しせばめた壁（３）を設ける
本案は以上のような構造で、これを使用するときは、掃除機のパイプに従来と同じにセットするが、床用吸込部（１）に空気取入口（２）を設けたため、カーペットや床等の上を吸いつくことなく軽く移動し掃除することができる
【０００７】考案の効果
床、又は、カーペット等に強い空気の流れが当り細いほこり等を、払うように浮き上らせて吸い込む
【図面の簡単な説明】
【図１】本考案の斜視図である
【図２】本考案の一部を切り欠いた図面である
【符号の説明】
１  床用吸込部
２  空気取入口
３  ガイド壁
【図１】
0003157964.tif 000003
【図２】
0003157964.tif 000004
【手続補正書】
【提出日】平成21年3月13日(2009.3.13)
【手続補正１】
【補正対象書類名】実用新案登録請求の範囲
【補正対象項目名】全文
【補正方法】変更
【補正の内容】
【実用新案登録請求の範囲】
【請求項１】
床用吸込部（１）の上  前方へ垂直に空気取入口（２）を設け（空気取入口（２）に空気の流れをよくする壁（３）を設けた床用吸込部。）
【手続補正書】
【提出日】平成21年5月15日(2009.5.15)
【手続補正１】
【補正対象書類名】実用新案登録請求の範囲
【補正対象項目名】全文
【補正方法】変更
【補正の内容】
【実用新案登録請求の範囲】
【請求項１】
「床用吸込部（１）の上、前方へ垂直に空気取入口（２）を設け、空気取入口（２）に空気の流れをよくする壁（３）を設けた床用吸込部」
(57)【要約】      （修正有）【課題】事故や火災などで発生した負傷者を手当する際、安全かつ短時間に着衣を切断出来、かつ、片手で操作可能であり、鋏と比較して動作数が少なく、衣服の厚みや施術者の体力や技術によって切断時間が大幅に左右されない構造の切断具を提供する。【解決手段】かぎ状の本体の又部分にアールのついた刃２を固定、先端部分をボール状１とすることで皮膚４と衣服５の間に滑り込ませ、棒状または三角形状のハンドル３を持って引っぱる事で刃が患者の皮膚に触れることなく衣服を浮かせながら自在に切断方向を操作しつつ素早く患者の着衣を切断出来るようにした。【選択図】図１
0003157993.tif 000002
【実用新案登録請求の範囲】
【請求項１】
１度から９０度の間のかぎ状で、先端部分がボール状またはそれに類する滑りやすい形状を持ち、本体の又部分に固定または交換式の鋭利な刃を固定し、棒状または三角形状のハンドルを有した、衣服と皮膚の隙間に器具の先端を差し込み、引っぱる事で着衣の切断を行う器具。
【考案の詳細な説明】
【技術分野】
【０００１】救急医療用器具
【考案の概要】
【考案が解決しようとする課題】
【０００２】事故や災害などで発生した負傷者を手当する際、着衣を取り除く必要が発生する場合があるが、救命率向上を考えた場合、着衣の切断を含む各個の動作を迅速、確実に行う必要があり、従来の鋏を使用する方法と比較して安全かつ短時間に施術者の技術に依存せずに着衣を切断出来る器具が必要とされている事。従来のレスキューナイフや皮剥ぎ用ナイフでは、厚みのある着衣の切断に充分な刃幅がない事や、折りたたみ構造の物がほとんどであり、ハンドル形状・構造においても滅菌消毒出来る事が必要要件となる医療用器具としての使用には向かないため。
【課題を解決するための手段】
【０００３】上記の問題を解決するため、かぎ状の本体の又部分にアールのついた刃▲２▼を固定、先端部分をボール状▲１▼とすることで引っ掛かる事なく皮膚▲４▼と衣服▲５▼の間に器具を滑り込ませ、棒状または三角形状のハンドル▲３▼を持って手前方向に引っぱる事で刃が患者の皮膚に触れることなく衣服を浮かせながら素早く患者の着衣を切断出来るようにした物である。従来の鋏で切断する場合と比較して１動作少ない。操作上の利点として引っ掛けた部分を支点に自在に切断方向を操作することが可能。一枚刃の構造のため鋏のように刃の間に布がかみ込んでしまう恐れが無く、厚手の素材だけでなく柔らかい素材や形状の違う複数枚の衣服についてもまとめて切断が可能となる。また単純な構造であることから、メンテナンス及び滅菌消毒が容易であること、安価に製造可能であることなど複数の利点がある。
【考案の効果】
【０００４】本考案の切断具は、片手で操作可能であり、鋏と比較して動作数が少なく、衣服の厚みや施術者の体力及び技能によって切断時間が大幅に左右されないよう工夫した。本考案は引っ掛ける、引っ張るの２動作で目的とする作業を終えることが出来るため、経験による熟練や特別な訓練を必要としない。
【図面の簡単な説明】
【０００５】
【図１】この考案の斜面図及び使用イメージである。
【図２】この考案の３面図である。
【符号の説明】
【０００６】１．先端ボール部
２．切断刃
３．ハンドル
４．人体
５．衣服
【図１】
0003157993.tif 000003
【図２】
0003157993.tif 000004
(57)【要約】      （修正有）【課題】多量に送風ができる磁石付きうちわを提供する。【解決手段】うちわ１の柄２に磁石３を固定し、磁石３同士を吸着させて支軸とし、うちわ１を互いに交差する。【選択図】図３
0003157982.tif 000002
【実用新案登録請求の範囲】
【請求項１】
うちわ（１）を好みの枚数重ね合わせ、柄（２）の部分の磁石（３）を吸着させ、相対は鉄材でもよく、互いに交差できるように工夫したことが特徴の磁石付きうちわ。
【考案の詳細な説明】
【技術分野】
【０００１】  本考案は、うちわの柄の部分に磁石を設けて、うちわを複数に重ね合わせ、磁石で吸着させて互いに交差できるように工夫したことを特徴とした磁石付きうちわに関するものである。
【背景技術】
【０００２】  従来、うちわは、竹材、プラスチック材に、紙器などを貼って作られており、ともに、一枚で作られているのが知られているが、送風が単調で、興味が薄かった。
飾り兼用豆うちわ（特許文献１参照）。
耐撓性紙うちわ（特許文献１参照）。
板紙製うちわ（特許文献２参照）。
【特許文献１】  実用新案公開平６−６１１２１号公報
【特許文献２】  特許公開２００２−３４６２５号公報
【特許文献３】  特許公開２００３−９３１２４号公報
【考案の概要】
【考案が解決しようとする開示】
【０００３】  そのために次のような問題点があった。
（イ）一枚のうちわで風を多量に送るために扇ぐとき敏速さと疲労を必要としていた。
（ロ）多量に送風するために数枚重ねると、うちわが散乱して上手に扇げなかった。
本考案は、以上の問題点を解決するためになされたものである。
【課題を解決するための手段】
【０００４】  うちわ（１）を好みの枚数重ね合わせる。
柄（２）の部分の磁石（３）を吸着させる。
相対は鉄材でもよく、互いに交差できるようにする。
本考案は以上のことを特徴とした磁石付きうちわ。
【考案の効果】
【０００５】  重ねたうちわを柄の部分に磁石で吸着することで、うちわ同士の散乱と外れがなくなり、横へのスライドが安定して行える。
また、多量に連結することも、分離し取り外して一本で使用することもできる。
【図面の簡単な説明】
【０００６】
【図１】  本考案の正面図である。
【図２】  本考案の断面図である。
【図３】  本考案の使用状態を示した正面図である。
【考案を実施するための形態】
【０００７】  以下本考案の実施の形態について説明する。
（イ）うちわ（１）、うちわ（１）を複数重ねる。
柄（２）、柄（２）部分の磁石（３）を吸着させて留める。
（ロ）磁石（３）の支点軸により、互いに交差できるようになり、広げると持ち部（４）    は細いままで持ち易く、柄の端（５）、柄の端（５）の拡大にて手より抜け落ちるよ    うなことはない。
本考案は以上のような構成である。
本考案を使用するときは、柄（２）、柄（２）により、うちわ（１）、うちわ（１）を広げて扇ぐと、送風が数倍の幅と量と角度方向へ送ることができる。
多量に送風することで、敏速に扇ぐこともなく緩やかで良いので疲労はない。
また、うちわ本来の姿を失うこともない。
【図面の簡単な説明】
【０００７】
【図１】  本考案の正面図である。
【図２】  本考案の断面図である。
【図３】  本考案の使用状態を示した正面図である。
【符号の説明】
【０００８】    １  うちわ
２  柄
３  磁石
４  持ち部
５  柄の端
【図１】
0003157982.tif 000003
【図２】
0003157982.tif 000004
【図３】
0003157982.tif 000005
【手続補正書】
【提出日】平成21年12月7日(2009.12.7)
【手続補正１】
【補正対象書類名】実用新案登録請求の範囲
【補正対象項目名】全文
【補正方法】変更
【補正の内容】
【実用新案登録請求の範囲】
【請求項１】
うちわ（１）の、柄（２）の部分の磁石（３）を固定し、磁石（３）同士を吸着させて支軸とし、うちわ（１）を互いに交差できるように工夫したことが特徴の磁石付きうちわ。
【手続補正２】
【補正対象書類名】明細書
【補正対象項目名】全文
【補正方法】変更
【補正の内容】
【考案の詳細な説明】
【技術分野】
【０００１】  本考案は、うちわの柄の部分に磁石を設けて、うちわを複数に重ね合わせ、磁石で吸着させて互いに交差できるように工夫したことを特徴とした磁石付きうちわに関するものである。
【背景技術】
【０００２】  従来、うちわは、竹材、プラスチック材に、紙器などを貼って作られており、ともに、一枚で作られているのが知られているが、送風が単調で、興味が薄かった。
飾り兼用豆うちわ（特許文献１参照）。
耐撓性紙うちわ（特許文献１参照）。
板紙製うちわ（特許文献２参照）。
【特許文献１】  実用新案公開平６−６１１２１号公報
【特許文献２】  特許公開２００２−３４６２５号公報
【特許文献３】  特許公開２００３−９３１２４号公報
【考案の概要】
【考案が解決しようとする課題】
【０００３】  そのために次のような問題点があった。
（イ）一枚のうちわで風を多量に送るために扇ぐとき敏速さと疲労を必要としていた。
（ロ）多量に送風するために数枚重ねると、うちわが散乱して上手に扇げなかった。
本考案は、以上の問題点を解決するためになされたものである。
【課題を解決するための手段】
【０００４】  うちわ（１）を複数重ね合わせる。
柄（２）の部分の磁石（３）同士を吸着させる。
磁石（３）を支軸に、互いに交差できるようにする。
本考案は以上のことを特徴とした磁石付きうちわ。
【考案の効果】
【０００５】  重ねたうちわを柄の部分に磁石で吸着することで、うちわ同士の散乱と外れがなくなり、横へのスライドが安定して行える。
また、多量に連結することも、分離し取り外して一本で使用することもできる。
【考案を実施するための形態】
【０００６】    以下本考案の実施の形態について説明する。
（イ）うちわ（１）、うちわ（１）を複数重ねる。
柄（２）、柄（２）部分の磁石（３）を吸着させて留める。
（ロ）磁石（３）の支点軸により、互いに交差できるようになり、広げると持ち部（４）は細いままで持ち易く、柄の端（５）、柄の端（５）の拡大にて手より抜け落ちるようなことはない。
本考案は以上のような構成である。
本考案を使用するときは、柄（２）、柄（２）により、うちわ（１）うちわ（１）を広げて扇ぐと、送風が数倍の幅と量と角度方向へ送ることができる。
多量に送風することで、敏速に扇ぐこともなく緩やかで良いので疲労はない。
また、うちわ本来の姿を失うこともない。
【図面の簡単な説明】
【０００７】
【図１】  本考案を複数重ねた状態を示す正面図である。
【図２】  本考案を複数重ねた状態を示す断面図である。
【図３】  本考案の使用状態を示した正面図である。
【符号の説明】
【０００８】    １  うちわ
２  柄
３  磁石
４  持ち部
５  柄の端